(57)【特許請求の範囲】
【請求項１】
車両が実際に走行した際の出発地と目的地との組み合わせを学習する学習手段を備え、
その学習手段による学習結果を利用して、次回以降の走行における目的地を推定する車両用ナビゲーション装置であって、
車両が走行を停止したか否かを車速信号に基づいて判定する走行停止判定手段と、
その走行停止判定手段により車両が走行を停止したと判定された地点を目的地候補地点とする目的地候補地点決定手段と、
前記目的地候補地点が、目的地として登録される地点の条件である地点条件を満たすことに基づいて、前記目的地候補地点を学習に用いる目的地として決定する学習用目的地決定手段と、
過去に目的地として設定された過去目的地を記憶している目的地記憶装置とを備え、
前記地点条件は、前記目的地候補地点が、前記目的地記憶装置に記憶されている過去目的地またはその付近であるという条件であり、
前記学習手段は、今回、前記学習用目的地決定手段により決定された目的地を、今回の目的地とし、前回、前記学習用目的地決定手段により決定された目的地を今回の出発地として、出発地と目的地との組み合わせを学習することを特徴とする車両用ナビゲーション装置。
【請求項２】
車両が実際に走行した際の出発地と目的地との組み合わせを学習する学習手段を備え、
その学習手段による学習結果を利用して、次回以降の走行における目的地を推定する車両用ナビゲーション装置であって、
車両が走行を停止したか否かを車速信号に基づいて判定する走行停止判定手段と、
その走行停止判定手段により車両が走行を停止したと判定された地点を目的地候補地点とする目的地候補地点決定手段と、
前記目的地候補地点が、目的地として登録される地点の条件である地点条件を満たすことに基づいて、前記目的地候補地点を学習に用いる目的地として決定する学習用目的地決定手段と、
目的地として設定されることが多い地点である高頻度目的地を予め記憶している目的地記憶装置とを備え、
前記地点条件は、前記目的地候補地点が、前記目的地記憶装置に記憶されている高頻度目的地またはその付近であるという条件であり、
前記学習手段は、今回、前記学習用目的地決定手段により決定された目的地を、今回の目的地とし、前回、前記学習用目的地決定手段により決定された目的地を今回の出発地として、出発地と目的地との組み合わせを学習することを特徴とする車両用ナビゲーション装置。
【請求項３】
請求項１において、
前記目的地記憶装置には、前記過去目的地に加え、目的地として設定されることが多い地点である高頻度目的地が予め記憶されており、
前記地点条件は、前記目的地候補地点が、前記目的地記憶装置に記憶されている過去目的地、高頻度目的地、またはその付近であるという条件であることを特徴とする車両用ナビゲーション装置。
【請求項４】
請求項１乃至３のいずれか１項において、
前記走行停止判定手段により車両が走行を停止したと判定された地点における車両停止態様が、その地点を目的地として決定する目的地決定条件を満たす場合、車両が目的地に到着したと判定し、到着地点を目的地および次回の走行の出発地に決定する目的地到着判定手段をさらに備え、
前記学習用目的地決定手段は、前記目的地到着判定手段によって目的地に決定された地点が、今回の走行の出発地と同じ地点になった場合に、前記目的地候補地点が前記地点条件を満たすか否かを判断することを特徴とする車両用ナビゲーション装置。
【請求項５】
請求項１乃至３のいずれか１項において、
前記走行停止判定手段により車両が走行を停止したと判定された地点における車両停止態様が、その地点を目的地として決定する目的地決定条件を満たす場合、車両が目的地に到着したと判定し、到着地点を目的地および次回の走行の出発地に決定する目的地到着判定手段をさらに備え、
前記目的地候補地点決定手段は、出発地を出発してから前記目的地到着判定手段により目的地に到着したと判定されるまで、前記目的地候補地点を逐次決定し、
前記学習用目的地決定手段は、出発地を出発してから目的地に到着したと判定されるまでに決定された複数の前記目的地候補地点に対して、それぞれ前記地点条件を満たすか否かの判断を行い、その判断の結果、学習に用いる複数の目的地が決定された場合、その複数の目的地を予め設定された絞り込み条件を用いて一部の目的地に絞り込み、絞り込み後の目的地を学習に用いる目的地として決定することを特徴とする車両用ナビゲーション装置。
【請求項６】
請求項４または５において、
前記目的地到着判定手段は、前記車両の駐車機構の状態が駐車状態となったことを前記目的地決定条件とすることを特徴とする車両用ナビゲーション装置。
【請求項７】
請求項４または５において、
前記目的地到着判定手段は、前記車両の停車時間が、駐車したと判断できる駐車基準時間以上となったことを前記目的地決定条件として備えることを特徴とする車両用ナビゲーション装置。
【発明の詳細な説明】
【技術分野】
【０００１】
本発明は、車両用ナビゲーション装置に関し、特に、出発地と目的地との組み合わせを学習する機能を備えた車両用ナビゲーション装置に関する。
【背景技術】
【０００２】
車両用ナビゲーション装置として、車両が停止したときの車両の状態から、車両が停止した地点を目的地として記憶すべきか否かを判断することができるものが知られている（たとえば、特許文献１）。
【先行技術文献】
【特許文献】
【０００３】
【特許文献１】特開２００７−１０５７０号公報
【発明の概要】
【発明が解決しようとする課題】
【０００４】
車両の実際の走行において目的地であった地点を精度よく記憶できれば、その後の目的地推定精度が向上する。なお、出発地がどこであるかによって目的地となり得る候補は変わる。たとえば、会社帰りには商業施設に寄らない人の場合、出発地が会社であれば商業施設は目的地となり得ないが、出発地が自宅であれば商業施設が目的地となり得る。従って、目的地を推定するためには、出発地と目的地との組み合わせを学習することが望ましいと言える。
【０００５】
ここで、特許文献１の目的地・立寄地判定処理（図３）では、ドアが開閉され、乗員数が変化したか否かを判断するステップ（Ｓ１５０）が存在する。しかし、市販品やディーラーオプションのナビゲーション装置は、一般に、ドアが開閉されたことを示す信号を取得できない。また、乗員数の変化は、メーカーオプションのナビゲーション装置であっても判断できないことが多い。そのため、このステップＳ１５０が省略されることも考えられるが、ステップＳ１５０を省略してしまうと、パーキングブレーキがオンにならない限り、目的地としても、また、立ち寄り地としても記憶されない。
【０００６】
しかしながら、たとえば、送迎では（特に送る時）、目的地にてパーキングブレーキがオンにされないこともあるなど、目的地であってもパーキングブレーキがオンにされないこともある。従って、自宅などの出発地に戻った時に初めてパーキングブレーキがオンにされることもある。この場合、目的地として記憶される地点が出発地と同じ地点になってしまい、有効な学習を行うことができない。
【０００７】
そこで、停車時間が所定時間を超えた地点を目的地とすることが考えられる。しかし、送迎を目的とする場合、目的地における停車時間は短い場合も多い。そのため、停車時間が所定時間を超えた地点を目的地とする場合には、所定時間を短い時間に設定しなければならない。ところが、所定時間を短くすると、信号待ちで停車している場合にも停車地点を目的地と判断してしまう恐れが生じ、信号待ちで停車している地点を目的地としてしまっても、有効な学習を行うことはできない。
【０００８】
本発明は、この事情に基づいて成されたものであり、その目的とするところは、出発地とともに学習する目的地を精度よく決定できる車両用ナビゲーション装置を提供することにある。
【課題を解決するための手段】
【０００９】
その目的を達成するための請求項１記載の発明は、車両が実際に走行した際の出発地と目的地との組み合わせを学習する学習手段を備え、その学習手段による学習結果を利用して、次回以降の走行における目的地を推定する車両用ナビゲーション装置であって、
車両が走行を停止したか否かを車速信号に基づいて判定する走行停止判定手段と、その走行停止判定手段により車両が走行を停止したと判定された地点を目的地候補地点とする目的地候補地点決定手段と、目的地候補地点が、目的地として登録される地点の条件である地点条件を満たすことに基づいて、目的地候補地点を学習に用いる目的地として決定する学習用目的地決定手段と、過去に目的地として設定された過去目的地を記憶している目的地記憶装置とを備え、地点条件は、目的地候補地点が、目的地記憶装置に記憶されている過去目的地またはその付近であるという条件であり、学習手段は、今回、学習用目的地決定手段により決定された目的地を、今回の目的地とし、前回、学習用目的地決定手段により決定された目的地を今回の出発地として、出発地と目的地との組み合わせを学習することを特徴とする。
また、請求項２記載の発明は、車両が実際に走行した際の出発地と目的地との組み合わせを学習する学習手段を備え、その学習手段による学習結果を利用して、次回以降の走行における目的地を推定する車両用ナビゲーション装置であって、車両が走行を停止したか否かを車速信号に基づいて判定する走行停止判定手段と、その走行停止判定手段により車両が走行を停止したと判定された地点を目的地候補地点とする目的地候補地点決定手段と、目的地候補地点が、目的地として登録される地点の条件である地点条件を満たすことに基づいて、目的地候補地点を学習に用いる目的地として決定する学習用目的地決定手段と、目的地として設定されることが多い地点である高頻度目的地を予め記憶している目的地記憶装置とを備え、地点条件は、目的地候補地点が、目的地記憶装置に記憶されている高頻度目的地またはその付近であるという条件であり、学習手段は、今回、学習用目的地決定手段により決定された目的地を、今回の目的地とし、前回、学習用目的地決定手段により決定された目的地を今回の出発地として、出発地と目的地との組み合わせを学習することを特徴とする。
【００１０】
このように、本発明では、車両が走行を停止したと判定した地点を目的地候補地点とし、その目的地候補地点が目的地として登録される地点の条件である地点条件を満たすことに基づいて、その目的地候補地点を学習に用いる目的地として決定する。そのため、たとえば、目的地での目的が送迎であるため、目的地において停車している時間が短くても、送迎を行った地点が地点条件を満たせば、送迎を行った地点を学習に用いる目的地とすることができる。一方、信号待ちで停車している地点は地点条件を満たさないと考えられる。その結果、学習に用いるべき目的地を精度よく決定できることになる。
【００１２】
また、地点条件を請求項１のようにすれば、過去に目的地として設定したことがある地点であれば、今回の停車が送迎等であるために停車時間が短時間であったとしても目的地として判定することができる。
【００１３】
また、地点条件を請求項２のようにすれば、駅等、目的地に設定されやすい場所またはその付近における停車を目的地として停車したと判断することできる。
【００１４】
また、地点条件は、請求項３のようにすることがさらに好ましい。すなわち、目的地記憶装置には、過去目的地に加え、目的地として設定されることが多い地点である高頻度目的地が予め記憶されており、地点条件は、目的地候補地点が、目的地記憶装置に記憶されている過去目的地、高頻度目的地、またはその付近であるという条件であることを特徴とする。
【００１５】
このようにすれば、過去に目的地として設定されていなくても、駅等、目的地に設定されやすい場所またはその付近における停車を目的地として停車したと判断することできる。
【００１６】
請求項４は、前記走行停止判定手段により車両が走行を停止したと判定された地点における車両停止態様が、その地点を目的地として決定する目的地決定条件を満たす場合、車両が目的地に到着したと判定し、到着地点を目的地および次回の走行の出発地に決定する目的地到着判定手段をさらに備え、前記学習用目的地決定手段は、前記目的地到着判定手段によって目的地に決定された地点が、今回の走行の出発地と同じ地点になった場合に、前記目的地候補地点が前記地点条件を満たすか否かを判断することを特徴とする。

【００１７】
このように、本請求項では、目的地到着判定手段によって目的地に決定された地点が出発地と同じ地点になってしまった場合、目的地候補地点が地点条件を満たすか否かを判断する。この判断の結果、目的地候補地点が学習に用いる目的地として決定されれば、出発地とは異なる地点を目的地として学習を行うことができる。
【００１８】
請求項５は、前記走行停止判定手段により車両が走行を停止したと判定された地点における車両停止態様が、その地点を目的地として決定する目的地決定条件を満たす場合、車両が目的地に到着したと判定し、到着地点を目的地および次回の走行の出発地に決定する目的地到着判定手段をさらに備え、前記目的地候補地点決定手段は、出発地を出発してから前記目的地到着判定手段により目的地に到着したと判定されるまで、前記目的地候補地点を逐次決定し、前記学習用目的地決定手段は、出発地を出発してから目的地に到着したと判定されるまでに決定された複数の前記目的地候補地点に対して、それぞれ前記地点条件を満たすか否かの判断を行い、その判断の結果、学習に用いる複数の目的地が決定された場合、その複数の目的地を予め設定された絞り込み条件を用いて一部の目的地に絞り込み、絞り込み後の目的地を学習に用いる目的地として決定することを特徴とする。

【００１９】
このようにすれば、地点条件によって決定された目的地が複数ある場合に、より有用な目的地に絞って、出発地と目的地の組み合わせを学習することができる。
【００２０】
なお、上記請求項とは反対に、地点条件によって決定された目的地が複数ある場合に、それら全てを目的地として、出発地と目的地の組み合わせを学習してもよい。
【００２１】
また、上記絞込み条件は、たとえば、地点条件によって決定された複数の目的地のうちで、出発地から最も遠い地点、遠い側から順に所定数の地点、滞在時間が所定時間以上、滞在時間が長い側から順に所定数の地点、車両の駐車機構が駐車状態にある地点のみにする、などである。
【００２２】
また、目的地到着判定手段における車両停止態様とは、車両の駐車機構の状態（請求項６）、または、車両停止時間（請求項７）である。すなわち、請求項６は、前記目的地到着判定手段は、前記車両の駐車機構の状態が駐車状態となったことを前記目的地決定条件とすることを特徴とする。車両が目的地に到着した場合、通常、駐車機構が駐車状態とされる。従って、このようにすれば、車両が目的地に到着したことを精度よく判定できる。なお、駐車機構とは、車両が駐車状態にあるときと、一時的な停車や走行状態にあるときとで作動状態が異なる機構であり、たとえば、パーキングブレーキ、電源スイッチがある。
【００２３】
請求項７は、前記目的地到着判定手段は、前記車両の停車時間が、駐車したと判断できる駐車基準時間以上となったことを前記目的地決定条件として備えることを特徴とする。車両が目的地に到着した場合、通常、比較的長時間停車する。従って、このようにしても、車両が目的地に到着したことを精度よく判定できる。
【図面の簡単な説明】
【００２４】
【図１】本発明が適用された車両用ナビゲーション装置の全体構成を示すブロック図である。
【図２】図１の制御装置６が目的地学習のために実行する処理を示すフローチャートである。
【図３】図２のステップＳ６０の抽出処理を詳しく示すフローチャートである。
【発明を実施するための形態】
【００２５】
以下、本発明の実施形態を図面に基づいて説明する。図１は、本発明が適用された車両用ナビゲーション装置（以下、単にナビゲーション装置）の全体構成を示すブロック図である。
【００２６】
図１に示すように、ナビゲーション装置は、位置検出器１、地図データ入力器２、操作スイッチ群３、外部メモリ４、表示装置５と、これら各装置が接続された制御装置６を備えている。また、制御装置６には、アクセサリスイッチ（電源スイッチ）のオンオフ状態を示すＡＣＣ信号、車速センサ（図示せず）によって検出された車速を示す車速信号、パーキングブレーキ（図示せず）の作動状態を示すパーキングブレーキ信号等の各種信号が車内ＬＡＮを介して供給される。
【００２７】
制御装置６は、通常のコンピュータであり、内部には周知のＣＰＵ、ＲＯＭ、ＲＡＭ、Ｉ／Ｏおよびこれらの構成を接続するためのバスラインを備えている。ＲＯＭには、制御装置６が実行するためのプログラムが書き込まれており、このプログラムに従ってＣＰＵ等が所定の演算処理を実行する。
【００２８】
位置検出器１は、車両の絶対方位を検出するための地磁気センサ、車両の相対方位を検出するためのジャイロスコープ、車両の走行距離を検出する距離センサ、衛星からの電波に基づいて車両の位置を測定するグローバルポジショニングシステム（ＧＰＳ）のためのＧＰＳ受信機など、車両の位置を検出するためのセンサ等を少なくとも一つ備え、そのセンサ等に基づいて、このナビゲーション装置が搭載された車両の現在位置を逐次検出する。そして、現在位置を示す信号を制御装置６へ供給する。
【００２９】
地図データ入力器２は、たとえばハードディスクなどの図示しない記憶媒体を備え、その記憶媒体には、道路データ、背景データ、文字データおよび施設データなどを含むデジタル地図データが格納されており、これらのデータを制御装置６に入力する。
【００３０】
操作スイッチ群３は、たとえば表示装置５と一体になったタッチスイッチもしくは表示装置５の周辺に設けられるメカニカルなスイッチ等からなり、表示装置５に表示された地図の縮尺変更、メニュー表示選択、目的地設定、経路探索、経路案内開始、現在位置修正、表示画面変更、音量調整等の各種入力に使用される。
【００３１】
外部メモリ４は、たとえば、ＥＥＰＲＯＭやハードディスク等、書き込み可能なメモリである。この外部メモリ４には、ユーザによって設定された自宅位置や、テキストデータ、画像データ、音声データ等の各種データが記憶される。また、外部メモリ４には、目的地リスト、および、学習データベースも記憶されている。目的地リストには、過去に目的地として登録された地点である過去目的地と、目的地として設定されることが多い地点である高頻度目的地とが含まれているリストであり、高頻度目的地は、たとえば、駅、市役所、商業施設等であり、予め設定されている。学習データベースは、この車両の実際の走行時の出発地と目的地との組み合わせを記憶しているデータベースであり、出発地と目的地のほかに、出発時刻情報、到着時刻情報、日付情報、曜日情報などが記憶されている。なお、この外部メモリ４が請求項の目的地記憶装置に相当する。
【００３２】
表示装置５は、たとえば液晶ディスプレイ、有機ＥＬディスプレイによって構成され、その表示装置５の所定の地図表示領域には、車両の現在位置に対応する自車位置マークが地図データによって生成された車両周辺の道路地図上に重畳表示される。また、表示装置５には、その他に、現在時刻、渋滞情報などの他の情報表示を付加的に表示することもできる。
【００３３】
制御装置６は、操作スイッチ群３の入力操作に対する所定の処理（たとえば、外部メモリ４への地図データの記憶処理、地図縮尺変更処理、メニュー表示選択処理、目的地設定処理、経路探索実行処理、経路案内処理、現在位置修正処理、表示画面変更処理、音量調整処理等）を実行する。
【００３４】
また、制御装置６は、目的地学習のために、図２に示す処理を繰り返し実行する。図６において、ステップＳ１０は、請求項の走行停止判定手段に相当する処理であり、車両が走行を停止したか否かを判定する。ここでの走行停止とは、駆動力源の停止等、車載装置の機能が停止したか否かではなく、車両の移動が停止したか否かである。そのため、このステップＳ１の判断は車速信号に基づいて行い、車速信号が示す車速が０または略ゼロとみなすことができる場合に、車両が走行を停止したと判定する。なお、送迎を行った後、自宅などの出発地へＵターンする場合にも、短時間ではあるが、車両は走行を停止するので、このステップＳ１０は肯定判断となる。このステップＳ１０は走行中に逐次実行する。
【００３５】
このステップＳ１０が否定判断である場合には、ステップＳ１０を繰り返し実行する。一方、ステップＳ１０が肯定判断である場合にはステップＳ２０へ進む。ステップＳ２０は請求項の目的地候補地点決定手段に相当する処理であり、現在地点を目的地候補地点として、たとえば、この制御装置６のＲＡＭ等に一時的に記憶する。
【００３６】
ステップＳ３０は、請求項の目的地到着判定手段に相当する処理であり、目的地に到着したか否かを判定する。本実施形態では、信号待ちの時間よりも十分に長い時間に設定される駐車基準時間（ここでは１５分）以上同じ場所で停車していたことを目的地決定条件としており、この条件が成立した場合に目的地に到着したと判定する。なお、特許文献１では目的地と立ち寄り地とを区別していたが、本実施形態では両者を区別しない。すなわち、本実施形態の目的地には立ち寄り地も含まれる。
【００３７】
このステップＳ３０が否定判定である場合には、前述のステップＳ１０に戻り、ステップＳ１０、Ｓ２０を再度実行する。従って、本実施形態では、車両が目的地に到着するまで、車両が停止したと判定する度に、目的地候補地点を一時的に記憶していくことになる。
【００３８】
一方、ステップＳ３０が肯定判定である場合にはステップＳ４０へ進む。なお、前述のように、本実施形態では、１５分以上同じ場所で停車していたことを目的地決定条件としており、この条件を満たす場合には、一旦、電源スイッチがオフにされている可能性が高い。従って、ステップＳ３０が肯定判断となる場合、このステップＳ３０の判断時点は、次回の走行時に電源がオンになった後となる。
【００３９】
ステップＳ４０では、ステップＳ３０で到着したと判定した地点が出発地と同じか否かを判定する。ここでの出発地とは、前回の処理において後述するステップＳ５０で目的地として記憶された地点、すなわち、前回の目的地である。ステップＳ４０が否定判断の場合、ステップＳ５０へ進み、現在位置を目的地として外部メモリ４の目的地リストに登録する。
【００４０】
そして、請求項の学習手段に相当するステップＳ７０へ進み、ステップＳ５０で登録した目的地と、出発地（すなわち前回の目的地）との組み合わせを学習し、学習結果を外部メモリ４の学習データベースに格納する。なお、この学習においては、出発地および目的地に加え、出発時刻、到着時刻、日付、曜日なども記憶する。
【００４１】
前述のステップＳ４０が肯定判断となった場合、すなわち、目的地が出発地と同じになってしまった場合、ステップＳ６０に進み抽出処理を実行する。
【００４２】
この抽出処理は、一時的に記憶した目的地候補地点から、学習において用いる地点を抽出するものである。抽出処理の詳細は図３に示す。
【００４３】
図３において、まず、ステップＳ６１では、目的地候補地点が地点条件を満たすか否かを判定する。この地点条件は、目的地として登録される地点の条件であり、本実施形態では、目的地候補地点が目的地リストに登録されている地点、または、その付近であるという条件である。地点条件をこのように設定しているのは、今回の停車は目的地条件を満たすような停車ではなかったとしても、目的地リストに登録されている地点であれば、今回の停車も、目的地としての停車である可能性が高いと考えられるからである。なお、付近か否かは、登録されている地点までの距離が所定距離以下であるか否かで判定する。
【００４４】
このステップＳ６１が肯定判定である場合には、ステップＳ６２へ進み、目的地候補地点を目的地に決定する。前述のように、目的地リストには、過去に目的地として設定されたことがある地点、すなわち過去目的地、および、目的地として設定されることが多い地点である高頻度目的地が含まれている。そのため、地点条件がこのようになっている場合、目的地候補地点における今回の停車が短時間であったとしても、今回の目的地候補地点における停車が目的地としての停車であると判定することができる。なお、ステップＳ６１およびステップＳ６２が学習用目的地決定手段に相当する処理である。
【００４５】
ステップＳ６１が否定であった場合、または、ステップＳ６２を実行した場合にはステップＳ６３へ進む。ステップＳ６３では、地点条件を満たすか否かを判断していない目的地候補地点があるか否かを判断する。この判断が否定判断である場合には図３の処理を終了して図２に戻る。一方、肯定判断である場合にはステップＳ６１へ戻り、まだ地点条件を満たすか否かを判断していない目的地候補地点についてステップＳ６１を実行する。
【００４６】
図２の説明に戻り、ステップＳ６０を実行した場合にもステップＳ７０を実行する。この場合には、ステップＳ６０にて抽出した目的地を用いて、目的地と出発地（すなわち前回の目的地）との組み合わせを学習し、学習結果を外部メモリ４の学習データベースに格納する。ステップＳ６０にて複数の目的地が抽出された場合、本実施形態では、それら複数の目的地を全て用いて学習を行う。なお、各目的地と組み合わせて学習する出発地は、直前の目的地である。また、学習においては、前述のように、出発地および目的地に加え、出発時刻、到着時刻、日付、曜日なども記憶する。
【００４７】
このようにして記憶した出発地と目的地との組み合わせを利用して、たとえば、次回の出発時など、所定の推定時期に自動的に目的地を推定して、その推定した目的地に関する情報をユーザに提供する。また、走行中に学習データベースを用いて目的地を推定し、その推定結果に基づいて進路を推定してもよい。
【００４８】
以上、説明した本実施形態によれば、車両が走行を停止したと判定した地点を目的地候補地点とし（Ｓ２０）、その目的地候補地点が目的地として登録される地点の条件である地点条件を満たす場合（Ｓ６１がＹＥＳ）、その目的地候補地点を学習に用いる目的地として決定する（Ｓ６２）。そのため、たとえば、目的地での目的が送迎であり、停車時間が極短時間で、その後、自宅などの出発地へUターンした場合など、目的地において停車している時間が短く、ステップＳ３０では目的地に到着したと判定されない場合でも、送迎を行った地点が地点条件を満たせば、送迎を行った地点を学習に用いる目的地とすることができる。一方、信号待ちで停車している地点は地点条件を満たさないと考えられる。その結果、学習に用いるべき目的地を精度よく決定できることになる。
【００４９】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００５０】
たとえば、前述の実施形態では、駐車基準時間以上同じ場所で停車していたことを目的地決定条件としていたが、車両の駐車機構の状態が駐車機構条件を満たすことを目的地決定条件にしてもよい。ここで、駐車機構とは、車両が駐車状態にあるときと、一時的な停車や走行状態にあるときとで作動状態が変化する機構であり、たとえば、パーキングブレーキ、電源スイッチが含まれる。これらは、駐車状態では、パーキングブレーキはオンになり、電源スイッチはオフになる。従って、電源スイッチがオフとなったこと、および、パーキングブレーキがオンとなったことの少なくともいずれか一方を目的地決定条件としてもよい。また、駐車機構条件と駐車基準時間の条件とを両方用い、いずれか一方が成立したこと、あるいは、両方が成立したことを目的地決定条件としてもよい。
【００５１】
また、前述の実施形態では、ステップＳ４０において目的地と出発地とが同じであると判断した場合に限り、目的地候補地点から学習に用いる目的地を抽出していたが、ステップＳ４０の判断を行わずに、目的地候補地点から学習に用いる目的地を抽出してもよい。
【００５２】
また、前述の実施形態では、ステップＳ６０で抽出した複数の目的地の全てを用いて出発地と目的地との組み合わせを学習していたが、それら複数の目的地の一部を用いて学習を行ってもよい。一部の目的地を用いる場合、ステップＳ６０で抽出した目的地を予め設定された絞り込み条件を用いて一部の目的地に絞り込むことになる。
【００５３】
絞り込み条件は、たとえば、ステップＳ６０で抽出した目的地の中で、出発地から最も遠い地点、遠い側から順に所定数の地点、滞在時間が所定時間以上、滞在時間が長い側から順に所定数の地点、駐車機構が駐車状態となった場所のみ、などである。
【００５４】
また、前述の実施形態では、車速が０または略ゼロになったことに基づいて走行停止と判定していたが、極短時間の停車や極低速で走行している状態を走行停止と判定しないようにするため、車速の条件に加えて、車速が０または略ゼロになっている時間が停車基準時間よりも長い時間であることを条件として走行停止を判定してもよい。なお、この場合の停車基準時間は、たとえば３０秒であり、前述の駐車基準時間よりも十分に短い時間に設定される。
【符号の説明】
【００５５】
１：位置検出器、      ２：地図データ入力器、      ３：操作スイッチ群、      ４：外部メモリ（目的地記憶装置）、      ５：表示装置、      ６：制御装置、      Ｓ１０：走行停止判定手段、      Ｓ２０：目的地候補地点決定手段、      Ｓ３０：目的地到着判定手段、      Ｓ６１、Ｓ６２：学習用目的地決定手段、      Ｓ７０：学習手段
【図１】
0005440030.tif 000002
【図２】
0005440030.tif 000003
【図３】
0005440030.tif 000004